(57)【要約】【課題】他機においても自機で管理する検索キーワードを使用可能にするコンテンツダウンロード受信機を提供することを目的とする。【解決手段】本発明に係るコンテンツダウンロード受信機は、通信網からコンテンツをダウンロードするコンテンツダウンロード受信機であって、コンテンツから所定の番組情報に関するＥＣＧメタデータを分離するメタデータ分離手段１０１を備える。そして、メタデータ分離手段１０１で分離したＥＣＧメタデータに基づく検索キーワード１１１〜１１３を管理する検索キーワード抽出制御手段１０３と、検索キーワード抽出制御手段１０３で管理される検索キーワード１１１〜１１３のデータをリムーバブルメディア２に記録する制御を行う外部メモリ記録制御手段１５とを備える。【選択図】図２
2009239581.tif 000002
【特許請求の範囲】
【請求項１】
通信網からコンテンツをダウンロードするコンテンツダウンロード受信機であって、
前記コンテンツから所定の番組情報に関するメタデータを分離するメタデータ分離手段と、
前記メタデータ分離手段で分離した前記メタデータに基づく検索用の情報を管理する検索情報制御手段と、
前記検索情報制御手段で管理される前記検索用の情報のデータをリムーバブルメディアに記録する制御を行う外部メモリ記録制御手段とを備える、
コンテンツダウンロード受信機。
【請求項２】
前記検索用の情報は、検索キーワード、および／または、検索式を含む、
請求項１に記載のコンテンツダウンロード受信機。
【請求項３】
前記リムーバブルメディアは、
前記コンテンツダウンロード受信機と着脱可能な不揮発性メモリを含む、
請求項１または請求項２に記載のコンテンツダウンロード受信機。
【請求項４】
前記リムーバブルメディアは、
前記コンテンツダウンロード受信機と着脱可能な記録円盤ディスクを含む、
請求項１または請求項２に記載のコンテンツダウンロード受信機。
【請求項５】
前記リムーバブルメディアは、
前記コンテンツダウンロード受信機と着脱可能なハードディスクを含む、
請求項１または請求項２に記載のコンテンツダウンロード受信機。
【請求項６】
表示手段をさらに備え、
前記リムーバブルメディアに記録された前記検索用の情報を用いて番組情報を検索し、当該検索した番組情報を前記表示手段において表示する、
請求項１乃至請求項５のいずれかに記載のコンテンツダウンロード受信機。
【発明の詳細な説明】
【技術分野】
【０００１】
本発明は、インターネットなどの通信網からコンテンツをダンロードするコンテンツダウンロード受信機に関する発明である。
【背景技術】
【０００２】
テレビジョン装置では、ユーザが所望の番組を見つけるために用いられる番組情報検索手段を備えるものが提案されている。この番組情報検索手段は、番組を検索するための検索用の情報をユーザが入力する入力手段と、入力された情報をもとに番組情報のデーターベースから所望の番組を特定する手段と、特定した番組をユーザに提示する提示手段とにより構成されている。特に、デジタル放送においては、デジタル放送の放送規格により１つの番組に対して様々な番組情報、例えば、番組名、番組のジャンル、出演者名、放送時間などの内容が付加される。そこで、これら情報を番組検索に利用する様々な検索手段や検索機能が提案されている。このようなテレビジョン装置は、特許文献１、特許文献２に記載されている。
【０００３】
上述のテレビジョン装置では、所望の番組を検索するたびに、ユーザが上述の入力手段に検索用の情報を入力しなければならず、検索作業が煩わしいという問題があった。そこで、情報入力作業を省く方法として、視聴履歴に応じてユーザの嗜好を分析し、当該分析した情報を検索用の情報として用いることにより、ユーザの嗜好に沿った番組を自動的に検索する方法も提案されている。このようなテレビジョン装置は、特許文献３、特許文献４に記載されている。
【０００４】
一方、以上のデジタル放送の受信とは異なり、通信網、例えば、インターネットからコンテンツをダウンロードするコンテンツダウンロード受信機が提案されている。このコンテンツダウンロード受信機においても、上述と同様に、検索用の情報を用いて所望のコンテンツを検索するものが提案されている。
【０００５】
【特許文献１】特開平１１−３４１３８１号公報（第１１頁、第６図）
【特許文献２】特開２００１−１０３３９１号公報（第８頁、第１図）
【特許文献３】国際公開第２００５／０１５９０２号パンフレット（第４２頁、第３図）
【特許文献４】特開２００５−３４８４４５号公報（第１７頁、第１図）
【発明の開示】
【発明が解決しようとする課題】
【０００６】
上述のコンテンツダウンロード受信機では、自機でダウンロードしたコンテンツを、リムーバブルメディアに記録することにより、他機でそのコンテンツを視聴可能にするものも提案されている。しかしながら、自機で管理している検索用の情報は、リムーバブルメディアに記録されない。そのため、他機で所望のコンテンツを検索するときに、自機で管理する検索用の情報を使用することができず、ユーザが所望の番組を他機で検索するのに時間がかかるという問題があった。
【０００７】
本発明は、上記のような問題点を解決するためになされたものであり、他機においても自機で管理する検索用の情報を使用可能にするコンテンツダウンロード受信機を提供することを目的とする。
【課題を解決するための手段】
【０００８】
本発明に係るコンテンツダウンロード受信機は、通信網からコンテンツをダウンロードするコンテンツダウンロード受信機であって、前記コンテンツから所定の番組情報に関するメタデータを分離するメタデータ分離手段を備える。そして、前記メタデータ分離手段で分離した前記メタデータに基づく検索用の情報を管理する検索情報制御手段と、前記検索情報制御手段で管理される前記検索用の情報のデータをリムーバブルメディアに記録する制御を行う外部メモリ記録制御手段とを備える。
【発明の効果】
【０００９】
本発明のコンテンツダウンロード受信機によれば、リムーバブルメディアに自機で管理している検索用の情報、例えば、検索キーワードのデータを記録する。これにより、他機においても自機で管理する検索用の情報を使用することができる。
【発明を実施するための最良の形態】
【００１０】
＜実施の形態１＞
図１は、本実施の形態に係るコンテンツダウンロード受信機の構成を示す図である。本実施の形態に係るコンテンツダウンロード受信機は、ＥＣＧ（エレクトリック・コンテンツ・ガイド）１と、ストレージ３と、通信ＩＦ（インターフェース）４と、通信処理手段５と、著作権管理手段６と、ダウンローダ７と、暗号復号処理手段８と、多重分離手段９と、映像デコーダ１０と、音声デコーダ１１と、再生制御手段１２と、ネットＴＶブラウザ１３と、グラフィック表示装置１４と、後の図で示される外部メモリ記録制御手段と、暗号復号処理手段とを備える。太線の矢印は、コンテンツのデータの流れを示す。
【００１１】
通信ＩＦ４は、通信網、例えば、インターネットに接続される。通信処理手段５は、通信ＩＦ４を介した通信を制御する。ダウンローダ７は、ユーザからの指令により、通信ＩＦ４、通信処理手段５を介して、通信網からコンテンツをダウンロードする。ストレージ３は、ダウンローダ７によりダウンロードしたコンテンツを蓄積する。通信網からのコンテンツは、著作権情報、例えば、コンテンツの視聴可能回数、コンテンツの使用期限に関する情報により保護されている。著作権管理手段６は、その著作権情報を管理する。
【００１２】
ＥＣＧ１は、ユーザが所望のコンテンツを検索する場合に用いられ、ストレージ３に蓄積したコンテンツのＥＣＧメタデータから、検索用の情報に適合するＥＣＧメタデータを検索する。これにより、ＥＣＧ１は、ユーザの嗜好に沿った番組情報を検索する。このＥＣＧ１の構成については後述する。本実施の形態に係るコンテンツダウンロード受信機が備える表示手段であるグラフィック表示装置１４は、ＥＣＧ１で検索されたＥＣＧメタデータの番組情報を表示する。こうしてグラフィック表示装置１４で表示される番組情報は、ＥＣＧ１によりユーザの嗜好に沿って絞り込まれた番組情報であるため、ユーザは、その番組情報の表示に基づいて、所望のコンテンツを迅速に探し出し、選択することができる。
【００１３】
再生制御手段１２は、ストレージ３に蓄積されたコンテンツを再生する制御を行う。この再生制御手段１２は、ユーザにより選択されたコンテンツが、著作権管理手段６で管理されている著作権情報の条件を満たす場合に、暗号復号処理手段８に解除キーを出力する。それとともに、再生制御手段１２は、ストレージ３に蓄積された多数のコンテンツから、ユーザに選択されたコンテンツを識別可能なコンテンツ識別情報を、ストレージ３に出力する。
【００１４】
ストレージ３は、自己に蓄積された多数のコンテンツから、再生制御手段１２からのコンテンツ識別情報に基づいてコンテンツを読み出し、暗号復号処理手段８に出力する。暗号復号処理手段８に出力されるコンテンツは、著作権情報により保護されており、暗号化されている。暗号復号処理手段８は、再生制御手段１２からの解除キーを用いて、ストレージ３からのコンテンツの暗号を解く。
【００１５】
多重分離手段９は、暗号復号処理手段８で暗号が解かれたコンテンツのデータを、映像データと音声データとに分離する。映像デコーダ１０は、多重分離手段９で分離された映像データをデコードする。音声デコーダ１１は、多重分離手段９で分離された音声データをデコードする。ネットＴＶブラウザ１３は、通信網を介して外部のコンテンツダウンロードサーバからコンテンツをダウンロードするために、当該外部のコンテンツダウンロードサーバに蓄積されたコンテンツの一覧表を表示する。
【００１６】
図１に係るコンテンツダウンロード受信機が、コンテンツをストレージ３に蓄積する動作について説明する。まず、ユーザは、通信ＩＦ４と通信処理手段５とネットＴＶブラウザ１３とにより、通信網を介して、外部のコンテンツダウンロードサーバに接続する。この接続が完了すると、外部のコンテンツダウンロードサーバに蓄積された、映画やドラマ、アニメなどの番組のコンテンツの一覧表をネットＴＶブラウザ１３により表示可能となる。ユーザが、この一覧表よりダウンロードしたいコンテンツを選択してダウンロード開始ボタンを押下げると、ダウンローダ７に指令が出力され、ダウンローダ７は、外部のコンテンツダウンロードサーバからコンテンツをダウンロード開始する。ダウンローダ７は、ダウンロードしたコンテンツのデータをストレージ３に蓄積し、蓄積が完了した時点でユーザに知らせる。以上の動作を繰り返すと、複数のコンテンツがストレージ３に蓄積される。
【００１７】
次に、図１に係るコンテンツダウンロード受信機が、ストレージ３に蓄積された多数のコンテンツから、所望のコンテンツを再生するときの動作について説明する。グラフィック表示装置１４は、ＥＣＧ１で検索されたＥＣＧメタデータの番組情報を表示する。このグラフィック表示装置１４で表示される番組情報は、ＥＣＧ１によりユーザの嗜好に沿って絞り込まれた番組情報であるため、ユーザは、自分がこれから視聴したい所望のコンテンツを容易に探し出すことができる。
【００１８】
ユーザが視聴したい所望のコンテンツを決定すると、再生制御手段１２は、著作権情報に応じて解除キーを暗号復号処理手段８に出力する。それとともに、再生制御手段１２は、ユーザに決定された所望のコンテンツを、ストレージ３に蓄積された多数のコンテンツから識別可能なコンテンツ識別情報をストレージ３に出力する。
【００１９】
ストレージ３は、自己に蓄積された多数のコンテンツから、コンテンツ識別情報に基づいてコンテンツを読み出し、暗号復号処理手段８に出力する。暗号復号処理手段８は、再生制御手段１２からの解除キーを用いて、ストレージ３からのコンテンツを復号する。多重分離手段９は、暗号復号処理手段８で暗号が解かれたコンテンツのデータを映像データと音声データとに分離する。映像データ、音声データは、映像デコーダ１０、音声デコーダ１１によりデコードされ、テレビシステムにより表示・発音される。
【００２０】
図２は、本実施の形態に係るコンテンツダウンロード受信機が備えるＥＣＧ１、および、グラフィック表示装置１４、および、外部メモリ記録制御手段１５、および、暗号復号処理手段１６を示す図である。図に示すように、ＥＣＧ１は、本実施の形態では、メタデータ分離手段１０１と、データベース１０２と、検索キーワード抽出制御手段１０３と、検索手段１０４とを備える。
【００２１】
本実施の形態に係るコンテンツダウンロード受信機が備えるメタデータ分離手段１０１は、ストレージ３に蓄積されたコンテンツから、所定の番組情報に関するメタデータを分離する。ここでいう所定の番組情報とは、本実施の形態では、ＥＣＧ１がコンテンツガイドを行うのに必要な番組情報であり、ここでいうメタデータは、本実施の形態では、ＥＣＧメタデータである。メタデータ分離手段１０１により分離されたＥＣＧメタデータは、データベース１０２に蓄積される。
【００２２】
本実施の形態に係るコンテンツダウンロード受信機が備える検索情報制御手段である検索キーワード抽出制御手段１０３は、メタデータ分離手段１０１で分離したＥＣＧメタデータに基づく検索用の情報を管理する。ここでいう検索用の情報は、本実施の形態では、検索キーワード１１１〜１１３である。つまり、検索キーワード抽出制御手段１０３は、データベース１０２に蓄積されたＥＣＧメタデータから検索キーワード１１１〜１１３を抽出する。この検索キーワード１１１〜１１３の抽出方法は、ユーザ自身が抽出する方法であってもよく、ＥＣＧ１がユーザの利用履歴に基づいて自動で抽出する方法であってもよい。
【００２３】
検索手段１０４は、ユーザから検索指示を受けた場合に、検索キーワード１１１〜１１３に適合するＥＣＧメタデータを、データベース１０２から検索する。本実施の形態に係るコンテンツダウンロード受信機は、ＥＣＧ１の検索手段１０４で検索されたＥＣＧメタデータの番組情報を、グラフィック表示装置１４に表示する。
【００２４】
次に、本実施の形態に係るコンテンツダウンロード受信機が備える外部メモリ記録制御手段１５および暗号復号処理手段１６について説明する。本実施の形態に係るコンテンツダウンロード受信機が備える外部メモリ記録制御手段１５は、検索キーワード抽出制御手段１０３で管理される検索キーワード１１１〜１１３のデータを、暗号復号処理手段１６を介して、リムーバブルメディア２に記録する制御を行う。暗号復号処理手段１６は、リムーバブルメディア２に記録されるデータを、当該リムーバブルメディア２の規格に適合した暗号化方式で暗号化する。
【００２５】
図３は、ストレージ３に蓄積されたコンテンツのデータと、検索キーワード抽出制御手段１０３で管理される検索キーワード１１１〜１１３のデータとを、リムーバブルメディア２に記録する動作を示す図である。まず、ストレージ３からコンテンツのデータを読み出し、上述したように、そのコンテンツのデータを一旦、暗号復号処理手段８で暗号を解く。外部メモリ記録制御手段１５は、ＥＣＧ１からの指令により、コンテンツのデータをリムーバブルメディア２に記録する。
【００２６】
その動作と同時に、本実施の形態に係るコンテンツダウンロード受信機は、外部メモリ記録制御手段１５により、ＥＣＧ１の検索キーワード抽出制御手段１０３で管理される検索キーワード１１１〜１１３のデータをリムーバブルメディア２に記録する。暗号復号処理手段１６は、リムーバブルメディア２に記録されるコンテンツのデータ、および、検索キーワード１１１〜１１３のデータを、当該リムーバブルメディア２の規格に適合した暗号化方式で暗号化する。
【００２７】
図４は、本実施の形態に係るリムーバブルメディア２の内部のデータ構成を示した図である。リムーバブルメディア２は、例えば、コンテンツダウンロード受信機と着脱可能な不揮発メモリ、または、記録円盤ディスク、または、ハードディスクである。リムーバブルメディア２のファイルシステム２０１は、外部メモリ記録制御手段１５からのコンテンツのデータを、コンテンツデータ２０２として管理し、蓄積する。また、ファイルシステム２０１は、検索キーワード１１１〜１１３のデータを、検索キーワード２１１〜２１３のデータからなるメタデータ２０３として管理し、蓄積する。リムーバブルメディア２をこのような構成にすることにより、検索キーワード１１１〜１１３を管理しているコンテンツダウンロード受信機（以下、自機Ａ）と同様な検索が、リムーバブルメディア２を装着した他のコンテンツダウンロード受信機（以下、他機Ｂ）においても可能となる。
【００２８】
図５は、リムーバブルメディア２に記録されたコンテンツデータ２０２、および、検索キーワード２１１〜２１３のデータを読み出すときの動作を示す図である。リムーバブルメディア２が他機Ｂに装着されると、リムーバブルメディア２に記録されたコンテンツデータ２０２、および、検索キーワード２１１〜２１３のデータが読み出される。読み出されたコンテンツデータ２０２、および、検索キーワード２１１〜２１３のデータは、暗号復号処理手段１６により復号される。復号されたコンテンツデータ２０２は、外部メモリ記録制御手段１５を介して、多重分離手段９に入力され、多重分離手段９により、映像データと音声データとに分離される。分離された映像データ、音声データは、映像デコーダ１０、音声デコーダ１１によりデコードされ、テレビシステムにより表示される。
【００２９】
また、他機Ｂは、暗号復号処理手段１６により復号された検索キーワード２１１〜２１３のデータを、外部メモリ記録制御手段１５を介して、ＥＣＧ１の検索キーワード抽出制御手段１０３に出力する。そして、検索キーワード抽出制御手段１０３により、リムーバブルメディア２から読み出された検索キーワード２１１〜２１３を、自己が管理する検索キーワードと同様に管理する。そして、他機Ｂは、リムーバブルメディア２に記録された検索キーワード２１１〜２１３を用いて番組情報を検索し、当該検索した番組情報を表示手段であるグラフィック表示装置１４において表示する。
【００３０】
以上のような本実施の形態に係るコンテンツダウンロード受信機によれば、自機Ａで管理している検索キーワード１１１〜１１３のデータを、検索キーワード２１１〜２１３としてリムーバブルメディア２に記録する。そのため、そのリムーバブルメディア２を装着した他機Ｂにおけるコンテンツ検索時においても、自機Ａで管理している検索キーワード１１１〜１１３と実質的に同じ検索キーワード２１１〜２１３を使用することができる。その結果、他機Ｂにおいても、ユーザが検索時に期待する番組を自機Ａと同程度で特定しやすくなる。こうして、検索結果として提示する番組情報の数を少なくすることができるため、検索後にユーザーが所望のコンテンツを選ぶ作業を軽減することができる。
【００３１】
また、グラフィック表示装置１４は、ストレージ３に蓄積された全てのコンテンツの番組情報を表示するのではなく、検索キーワードに沿って絞り込まれた番組情報を表示する。こうして、確度の高い検索結果を表示するため、ユーザは、容易に所望のコンテンツを探し出すことができる。
【００３２】
＜実施の形態２＞
図６は、本実施の形態に係るコンテンツダウンロード受信機が備えるＥＣＧ１、および、グラフィック表示装置１４、および、外部メモリ記録制御手段１５、および、暗号復号処理手段１６を示す図である。図に示すように、本実施の形態に係るＥＣＧ１は、実施の形態１のＥＣＧ１の検索キーワード抽出制御手段１０３の代わりに、検索式制御手段１０６を備える。以下、本実施の形態に係るコンテンツダウンロード受信機の構成のうち、実施の形態１と同一の構成については、同一の符号を付すものとし、新たに説明しない構成については、実施の形態１と同じであるものとする。
【００３３】
一般的に検索を実行する場合、検索キーワード１１１〜１１３，２１１〜２１３をデータとして検索式を作成し、その検索式に基づいて、検索絞込みが行われる。そこで、本実施の形態に係るコンテンツダウンロード受信機が備える検索情報制御手段である検索式制御手段１０６は、メタデータ分離手段１０１で分離したＥＣＧメタデータに基づく検索用の情報を管理する。ここでいう検索用の情報は、本実施の形態では、検索式１２１〜１２３である。つまり、検索式制御手段１０６は、メタデータ分離手段１０１で分離したＥＣＧメタデータに基づく検索式を管理する。外部メモリ記録制御手段１５は、検索式制御手段１０６で管理される検索式１２１〜１２３のデータをリムーバブルメディア２に記録する制御を行う。
【００３４】
図７は、本実施の形態に係るリムーバブルメディア２の内部のデータ構成を示した図である。リムーバブルメディア２は、例えば、コンテンツダウンロード受信機と着脱可能な不揮発メモリ、または、記録円盤ディスク、または、ハードディスクである。リムーバブルメディア２のファイルシステム２０１は、外部メモリ記録制御手段１５からのコンテンツのデータを、コンテンツデータ２０２として管理し、蓄積する。また、ファイルシステム２０１は、検索式１２１〜１２３のデータを、検索式２２１〜２２３のデータからなるメタデータ２０３として管理し、蓄積する。リムーバブルメディア２をこのような構成にすることにより、検索式１２１〜１２３を管理しているコンテンツダウンロード受信機（以下、自機Ａ）と同様な検索が、リムーバブルメディア２を装着した他のコンテンツダウンロード受信機（以下、他機Ｂ）においても可能となる。なお、本実施の形態に係るコンテンツダウンロード受信機の動作は、検索キーワードの代わりに検索式を用いる以外は、実施の形態１に係るコンテンツダウンロード受信機の動作と同じである。
【００３５】
以上のような本実施の形態に係るコンテンツダウンロード受信機によれば、自機Ａで管理している検索式１２１〜１２３のデータを、検索式２２１〜２２３としてリムーバブルメディア２に記録する。そのため、そのリムーバブルメディア２を装着した他機Ｂにおけるコンテンツ検索時においても、自機Ａで管理している検索式１２１〜１２３と実質的に同じ検索式２２１〜２２３を使用することができる。その結果、実施の形態１と同様の効果を得ることができる。
【００３６】
なお、以上の実施の形態では、検索キーワード１１１〜１１３、または、検索式１２１〜１２３のいずれかをリムーバブルメディア２に記録するコンテンツダウンロード受信機について説明した。しかし、これに限ったものではなく、本発明に係るコンテンツダウンロード受信機は、検索キーワード１１１〜１１３、および、検索式１２１〜１２３両方をリムーバブルメディア２に記録するものであってもよい。
【図面の簡単な説明】
【００３７】
【図１】実施の形態１に係るコンテンツダウンロード受信機の構成を示す図である。
【図２】実施の形態１に係るコンテンツダウンロード受信機の構成を示す図である。
【図３】実施の形態１に係るコンテンツダウンロード受信機の動作を示す図である。
【図４】実施の形態１に係るコンテンツダウンロード受信機と着脱可能なリムーバブルメディアの構成を示す図である。
【図５】実施の形態１に係るコンテンツダウンロード受信機の動作を示す図である。
【図６】実施の形態２に係るコンテンツダウンロード受信機の構成を示す図である。
【図７】実施の形態２に係るコンテンツダウンロード受信機と着脱可能なリムーバブルメディアの構成を示す図である。
【符号の説明】
【００３８】
１  ＥＣＧ、２  リムーバブルメディア、３  ストレージ、４  通信ＩＦ、５  通信処理手段、６  著作権管理手段、７  ダウンローダ、８，１６  暗号復号処理手段、９  多重分離手段、１０  映像デコーダ、１１  音声デコーダ、１２  再生制御手段、１３  ネットＴＶブラウザ、１４  グラフィック表示装置、１５  外部メモリ記録制御手段、１０１  メタデータ分離手段、１０２  データベース、１０３  検索キーワード抽出制御手段、１０４  検索手段、１０６  検索式制御手段、１１１〜１１３，２１１〜２１３  検索キーワード、２０１  ファイルシステム、２０２  コンテンツデータ、２０３  メタデータ。
【図１】
2009239581.tif 000003
【図２】
2009239581.tif 000004
【図３】
2009239581.tif 000005
【図４】
2009239581.tif 000006
【図５】
2009239581.tif 000007
【図６】
2009239581.tif 000008
【図７】
2009239581.tif 000009